【手続補正書】
【提出日】平成22年10月27日(2010.10.27)
【手続補正１】
【補正対象書類名】特許請求の範囲
【補正対象項目名】全文
【補正方法】変更
【補正の内容】
【特許請求の範囲】
【請求項１】
遊技が実行される遊技領域を備えた遊技機本体と、
遊技状態を通常遊技状態よりも遊技者に有利な特別遊技状態に移行させる特別遊技状態移行手段と
を備えた遊技機において、
前記特別遊技状態として、第１当たり遊技状態と第２当たり遊技状態と第１特定遊技状態とが設定されており、
遊技球が入球可能な第１入球口と第２入球口とが前記遊技領域に設けられており、
前記第２入球口は、遊技球が通過し易い第１状態と通過しにくい又は通過できない第２状態とに切り替え可能な切替手段を備え、
前記切替手段を前記第１状態に切り替える制御を実行する切替制御手段と、
遊技球が入球し易い第１状態と入球しにくい又は入球できない第２状態とに切り替え可能な可変入球手段と、
前記第１当たり遊技状態において前記可変入球手段を前記第１状態に切り替える可変制御を実行する可変制御手段と、
前記可変入球手段に遊技球が入球したことに基づいて、前記第１特定遊技状態に移行するか否かの抽選を行う抽選手段と
を備え、
前記切替制御手段は、前記第１特定遊技状態の場合に、前記通常遊技状態より前記第２入球口に遊技球が入球し易いよう前記切替手段を制御するものであり、
前記特別遊技状態移行手段は、
前記第１入球口に遊技球が入球したことに基づいて前記第１当たり遊技状態に移行させ得るとともに、
前記第１当たり遊技状態において前記第１特定遊技状態に移行することに当選している場合に、当該第１当たり遊技状態が終了した後に前記第１特定遊技状態に移行させ、
さらに、前記第２入球口に遊技球が入球したことに基づいて前記第２当たり遊技状態に移行させ得るものであることを特徴とする遊技機。
【請求項２】
遊技球が入球し易い第１状態と入球しにくい又は入球できない第２状態とに切り替え可能な第２可変入球手段と、
前記第２当たり遊技状態において前記第２可変入球手段を前記第１状態に切り替えるように可変制御する第２可変制御手段と
を備え、
前記抽選手段は、さらに、前記第２当たり遊技状態において前記第２可変入球手段に遊技球が入球した場合に、前記第１特定遊技状態に移行するか否かの抽選を行い、
前記特別遊技状態移行手段は、前記第２当たり遊技状態において前記第１特定遊技状態に移行することに当選している場合に、当該第２当たり遊技状態が終了した後に前記第１特定遊技状態に移行させることを特徴とする請求項１に記載の遊技機。
【請求項３】
前記抽選手段は、前記第１当たり遊技状態において前記可変入球手段に遊技球が入球した場合と比して、前記第２当たり遊技状態において前記第２可変入球手段に遊技球が入球した場合に前記第１特定遊技状態に移行することに当選する確率が高く設定されていることを特徴とする請求項２に記載の遊技機。
【請求項４】
前記第１当たり遊技状態又は前記第２当たり遊技状態から前記第１特定遊技状態へと移行し、引き続き当該第１特定遊技状態から前記第１当たり遊技状態又は当該第２当たり遊技状態へと移行することが繰り返される場合、前記第１当たり遊技状態又は前記第２当たり遊技状態から前記第１特定遊技状態へと移行を繰り返した回数が予め定められた回数になっている場合に、前記特別遊技状態移行手段は、前記第１当たり遊技状態又は前記第２当たり遊技状態が終了した後に前記通常遊技状態に移行させることを特徴とする請求項２又は請求項３に記載の遊技機。
【請求項５】
前記第２可変入球手段が前記第１状態となることで入球可能になる入賞役物を備え、
前記入賞役物は、遊技球が入球可能な入球領域を内部に複数有しており、
当該複数の入球領域のうち予め定められた入球領域が当選領域として設定されており、
前記抽選手段は、前記当選領域に遊技球が入球した場合に前記第１特定遊技状態に移行することに当選したとすることを特徴とする請求項２乃至４のいずれか１に記載の遊技機。
【請求項６】
前記第１入球口を遊技球が通過した場合に第１情報を取得する第１情報取得手段と、
前記第１情報取得手段が取得した第１情報を保留記憶する第１保留記憶領域と、
前記第２入球口を遊技球が通過した場合に第２情報を取得する第２情報取得手段と、
前記第２情報取得手段が取得した第２情報を保留記憶する第２保留記憶領域と、
第１情報に基づいて前記第１当たり遊技状態を発生させるか否かの抽選を行う第１抽選手段と、
第２情報に基づいて前記第２当たり遊技状態を発生させるか否かの抽選を行う第２抽選手段と
を備え、
前記特別遊技状態移行手段は、
前記第１抽選手段により前記第１当たり遊技状態を発生させることに当選している場合に、前記第１当たり遊技状態に移行させるものであり、
前記第２抽選手段により前記第２当たり遊技状態を発生させることに当選している場合に、前記第２当たり遊技状態に移行させるものであることを特徴とする請求項１乃至５のいずれか１に記載の遊技機。
【請求項７】
前記第２保留記憶領域に第２情報が保留記憶されているか否かを判断する判断手段を備え、
前記特別遊技状態移行手段は、前記判断手段により前記第２保留記憶領域に第２情報が保留記憶されていると判断された場合には、前記第１保留記憶領域に第１情報が記憶されていたとしても、当該第２情報に基づいて前記第２当たり遊技状態に移行させることを特徴とする請求項６に記載の遊技機。
【請求項８】
絵柄の変動表示を行う表示手段と、
前記表示手段を表示制御する表示制御手段と
を備え、
前記表示手段は、その上方を遊技球が通過可能且つその両端外側を遊技球が通過可能となるよう設置されており、
前記第１入球口は、前記表示手段における両端外側のうち一方を通過した遊技球が入球可能となるよう設置されており、
前記第２入球口は、前記表示手段における両端外側のうち他方を通過した遊技球が入球可能となるよう設置されており、
前記表示手段の両端外側のうち前記第２入球口に入球可能な方を通過した遊技球が前記第１入球口に入球することを阻害する阻害手段を備えたことを特徴とする請求項１乃至７のいずれか１に記載の遊技機。
【請求項９】
前記特別遊技状態として、第２特定遊技状態が設定されており、
前記切替制御手段は、前記第２特定遊技状態の場合に、前記通常遊技状態より前記第２入球口に遊技球が入球し易いよう前記切替手段を制御するものであり、
前記抽選手段は、前記第１特定遊技状態に移行することに当選しなかった場合に、前記第２特定遊技状態に移行するか否かの抽選を行い、
前記特別遊技状態移行手段は、前記第２特定遊技状態に移行することに当選している場合に、前記第１当たり遊技状態又は前記第２当たり遊技状態が終了した後に、前記第２特定遊技状態に移行させることを特徴とする請求項１乃至８のいずれか１に記載の遊技機。
【請求項１０】
遊技が実行される遊技領域を備えた遊技機本体と、
遊技状態を通常遊技状態よりも遊技者に有利な特別遊技状態に移行させる特別遊技状態移行手段と
を備えた遊技機において、
前記特別遊技状態として、第１当たり遊技状態と第２当たり遊技状態と第１特定遊技状態とが設定されており、
遊技球が入球可能な第１入球口と第２入球口とが前記遊技領域に設けられており、
前記第２入球口は、遊技球が通過し易い第１状態と通過しにくい又は通過できない第２状態とに切り替え可能な切替手段を備え、
前記切替手段を前記第１状態に切り替える制御を実行する切替制御手段と、
遊技球が入球し易い第１状態と入球しにくい又は入球できない第２状態とに切り替え可能な可変入球手段と、
前記第１当たり遊技状態において前記可変入球手段を前記第１状態に切り替える可変制御を実行する可変制御手段と、
前記可変入球手段に遊技球が入球したことに基づいて、前記第１特定遊技状態に移行するか否かの抽選を行う抽選手段と、
遊技球が入球し易い第１状態と入球しにくい又は入球できない第２状態とに切り替え可能な第２可変入球手段と、
前記第２当たり遊技状態において前記第２可変入球手段を前記第１状態に切り替える可変制御を実行する第２可変制御手段と
を備え、
前記切替制御手段は、前記第１特定遊技状態の場合に、通常遊技状態より前記第２入球口に遊技球が入球し易いよう前記切替手段を制御するものであり、
前記特別遊技状態移行手段は、
前記第１入球口に遊技球が入球したことに基づいて前記第１当たり遊技状態に移行させ得るとともに、
前記第１当たり遊技状態において前記第１特定遊技状態に移行することに当選している場合に、当該第１当たり遊技状態が終了した後に前記第１特定遊技状態に移行させ、
さらに前記第２入球口に遊技球が入球したことに基づいて前記第２当たり遊技状態に移行させ得るとともに、
前記第２当たり遊技状態において前記第２可変入球手段に遊技球が入球したことに基づいて当該第２当たり遊技状態が終了した後に前記第１特定遊技状態に移行させることを特徴とする遊技機。